(57)【要約】【課題】品質の向上を図ることが可能な噴霧装置を提供する。【解決手段】液体とともに気体を噴霧させる噴霧器１０と、前記気体が充填されたボンベＢを収容するケース本体８０とがチューブＴで接続された噴霧装置Ｍであり、前記噴霧器１０は、前記気体を噴出するガスノズル１２と、前記液体を噴出する液体ノズル１１と、前記ガスノズル１２と前記液体ノズル１１とを所定の位置関係で保持するノズル保持部１３と、前記チューブＴを介して前記ケース本体８０に接続されるとともに前記気体を噴出させる操作を行うハンドル部６０と、を備え、前記ハンドル部６０が、前記ガスノズル１２に接続されて前記気体の通路の一部を構成する中継管６１を有し、前記ノズル保持部１３に対して着脱自在とされ、ガスノズル１２及び中継管６１が、ハンドル部６０の取り付けによって接続され、取り外しによって離脱される接続構造を備えている。【選択図】図１２
2018176020.tif 000002
【特許請求の範囲】
【請求項１】
液体とともに気体を噴霧させる噴霧器と、前記気体が充填されたボンベを収容するケース本体とがチューブで接続された噴霧装置であり、
前記噴霧器は、前記気体を噴出するガスノズルと、前記液体を噴出する液体ノズルと、前記ガスノズルと前記液体ノズルとを所定の位置関係で保持するノズル保持部と、前記チューブを介して前記ケース本体に接続されるとともに前記気体を噴出させる操作を行うハンドル部と、を備え、
前記ハンドル部が、前記ガスノズルに接続されて前記気体の通路の一部を構成する中継管を有し、前記ノズル保持部に対して着脱自在とされ、
前記ガスノズル及び前記中継管が、前記ハンドル部の取り付けによって接続され、取り外しによって離脱される接続構造を備えている噴霧装置。
【請求項２】
前記ハンドル部及び前記ノズル保持部が、前記ハンドル部の着脱方向に対して同じ向きに傾斜するハンドル側傾斜部及びノズル側傾斜部を有し、
前記ハンドル部が前記ノズル保持部に取り付けられている状態において、前記ハンドル側傾斜部と前記ノズル側傾斜部とが前記着脱方向に近接または当接して配される請求項１に記載の噴霧装置。
【請求項３】
前記中継管が、前記ガスノズルに接続されるノズル接続部を有し、
前記ノズル接続部の少なくとも一部が、前記ハンドル部のうち前記ノズル保持部に対する取り付け方向前側の縁部から突出している請求項１または請求項２に記載の噴霧装置。
【発明の詳細な説明】
【技術分野】
【０００１】
本発明は、噴霧装置に関する。
【背景技術】
【０００２】
従来、液体とともに気体を噴霧させる噴霧装置が知られている。
例えば下記特許文献１に記載の噴霧装置（以後、第１噴霧装置と称する）は、液体が収容された液体容器と、気体が充填されたボンベを収容するケース本体とが一体的に取り扱われるものである。液体容器とケース本体とは、ケース本体の凹部（結合部）に液体容器の凸部（接続部）が隙間なく嵌合され、または、液体容器の凹部（接続孔）にケース本体の凸部（導管）が隙間なく嵌合されることで結合される。液体容器及びケース本体の凸部と凹部とが嵌合することにより、ケース本体の気体流路と液体容器のノズルとが連通される。ケース本体には、気体を噴出させる操作を行う操作部材が設けられている。ケース本体を把持して操作部材を押し下げることにより、ボンベ内の圧縮空気がノズルから噴出する。しかしながら、操作部材とケース本体とが一体化している構成では、操作時にケース本体を把持しなければならないため、取り扱いが容易ではないという問題がある。
【０００３】
そこで、例えば下記特許文献２に記載の噴霧装置（以後、第２噴霧装置と称する）が知られている。この噴霧装置は、液体ノズルとガスノズルとを有して液体とともに気体を噴霧させる噴霧器と、気体が充填されたボンベを収容するケース本体とがチューブで接続されたものである。噴霧器は、液体を収容する液体容器と、気体を噴出させる操作を行うハンドル部とを有し、ハンドル部と液体容器とは着脱自在とされている。液体容器には、液体を噴出する液体ノズルが取り付けられ、ハンドル部には、気体を噴出するガスノズルが取り付けられている。ハンドル部を液体容器に取り付けると、液体ノズルとガスノズルとが所定の位置関係で配される。このような噴霧装置であれば、噴霧器がケース本体と別体に設けられていることにより、ケース本体を把持する必要がないため、取り扱いが容易である。
【先行技術文献】
【特許文献】
【０００４】
【特許文献１】特開２００５−２４９１９３号公報
【特許文献２】特開２０１４−３９９１６号公報
【発明の概要】
【発明が解決しようとする課題】
【０００５】
しかしながら、第１噴霧装置のように、凸部と凹部との嵌合により液体容器とケース本体との結合が保持される構成では、液体容器とケース本体との結合力を高めると、取り付け作業が困難になるという問題がある。すなわち、凹部に対して凸部を圧入気味に嵌合する構成であれば、結合力を高めることができるけれども嵌合作業が困難になる。一方、凹部に対して凸部を容易に嵌合する構成であれば、嵌合作業は容易にできるけれども外れやすくなるという問題がある。
【０００６】
また、第２噴霧装置のように、ハンドル部を液体容器に取り付けることによって、液体ノズルとガスノズルとが所定の位置関係で配される構成では、例えばユーザーの手加減によりハンドル部の取り付け位置がずれると、ガスノズルと液体ノズルとの相対的な位置がずれ、噴霧機能が低下する虞がある。
【０００７】
本発明は上記のような事情に基づいて完成されたものであって、品質の向上を図ることが可能な噴霧装置を提供することを目的とする。
【課題を解決するための手段】
【０００８】
本発明の噴霧装置は、液体とともに気体を噴霧させる噴霧器と、前記気体が充填されたボンベを収容するケース本体とがチューブで接続された噴霧装置であり、前記噴霧器は、前記気体を噴出するガスノズルと、前記液体を噴出する液体ノズルと、前記ガスノズルと前記液体ノズルとを所定の位置関係で保持するノズル保持部と、前記チューブを介して前記ケース本体に接続されるとともに前記気体を噴出させる操作を行うハンドル部と、を備え、前記ハンドル部が、前記ガスノズルに接続されて前記気体の通路の一部を構成する中継管を有し、前記ノズル保持部に対して着脱自在とされ、前記ガスノズル及び前記中継管が、前記ハンドル部の取り付けによって接続され、取り外しによって離脱される接続構造を備えているものである。
【発明の効果】
【０００９】
本発明によれば、ガスノズル及び中継管が、ハンドル部の取り付けによって接続され、取り外しによって離脱される接続構造を備えているから、接続作業が容易で、かつ高い結合力を実現することができる。また、ガスノズルと液体ノズルとが所定の位置関係でノズル保持部に保持されているから、ハンドル部を共用しつつ液体の種類に応じて液体ノズル及びガスノズルを容易に交換することができ、またガスノズルと液体ノズルとの相対的な位置ずれに起因する噴霧機能の低下を防ぐことができる。すなわち、本発明によれば、品質の向上を図ることができる。
【図面の簡単な説明】
【００１０】
【図１】本実施例における噴霧装置を示す斜視図
【図２】噴霧器を載置部に載置した状態の噴霧装置を示す側面図
【図３】噴霧器を載置部に載置した状態の噴霧装置を示す平面図
【図４】噴霧器を載置部に載置した状態の噴霧装置を示す断面図であって、図３のＡ−Ａ位置における断面に相当する断面図
【図５】噴霧器を示す分解斜視図
【図６】噴霧器を示す側面図
【図７】噴霧器を示す正面図
【図８】噴霧器を示す底面図
【図９】液体容器を示す断面図
【図１０】ボトルキャップの係止片と液体ボトルの係止リブとが係止した状態を示す断面斜視図
【図１１】ハンドル部を示す断面図
【図１２】液体容器にハンドル部を取り付けた状態の噴霧器を示す断面図
【図１３】ケース本体を示す分解斜視図
【図１４】ケース本体を示す平面図
【発明を実施するための形態】
【００１１】
本発明の好ましい形態を以下に示す。
本発明の噴霧装置は、前記ハンドル部及び前記ノズル保持部が、前記ハンドル部の着脱方向に対して同じ向きに傾斜するハンドル側傾斜部及びノズル側傾斜部を有し、前記ハンドル部が前記ノズル保持部に取り付けられている状態において、前記ハンドル側傾斜部と前記ノズル側傾斜部とが前記着脱方向に近接または当接して配されるものとしてもよい。このような構成によれば、ハンドル側傾斜部とノズル側傾斜部とが沿う向きでのみ、ハンドル部をノズル保持部に取り付けることができるから、ハンドル部の取り付け向きを間違えることを防ぐことができる。
【００１２】
また、本発明の噴霧装置は、前記中継管が、前記ガスノズルに接続されるノズル接続部を有し、前記ノズル接続部の少なくとも一部が、前記ハンドル部のうち前記ノズル保持部に対する取り付け方向前側の縁部から突出しているものとしてもよい。このような構成によれば、中継管のノズル接続部を視認しながらハンドル部をノズル保持部に取り付けることができるから、ハンドル部の取り付け作業を容易に行うことができる。
【００１３】
＜実施例＞
以下、本発明を具体化した一実施例について、図１〜図１４を参照しつつ詳細に説明する。
本実施例における噴霧器１０は、液体（例えば、ローション状またはジェル状の化粧料）とともに気体を噴霧させるものであり、気体を噴出するガスノズル１２及び液体を噴出する液体ノズル１１を所定の位置関係で保持するノズル保持部１３と、気体を噴出させる操作を行うハンドル部６０と、を備えている。ハンドル部６０は、ノズル保持部１３に対し着脱自在とされている。噴霧器１０は、気体が充填されたボンベＢを収容するケース本体８０に、チューブＴを介して接続されている。ボンベＢには、炭酸ガスが液化状態で充填されている。チューブＴは、ボンベＢとガスノズル１２とを繋ぐ気体通路の一部を構成している。
【００１４】
液体は、噴霧時にはせん断力によってジェルが崩壊して霧状になり、その後、速やかにもとのジェル状に戻るチキソトロピー性に優れたジェル状組成物を使用することが望ましい。このようなジェル状組成物を使用することにより、吹き付け部（使用者の肌等）に吹き付けられた液体は、粘度が速やかに上昇するので液だれし難くすることができる。また、液体容器１４に収容された状態では、液体容器１４が転倒した衝撃によって瞬間的に粘度が低下したとしても、速やかに粘度が上昇するので液漏れを防ぐことができる。
【００１５】
気体は、二酸化炭素を使用することが望ましい。二酸化炭素は血行促進作用を有するため、液体に溶解した二酸化炭素が皮膚に接触することにより、皮膚の血行促進効果が発揮され、美容や健康に好影響を及ぼす。また、二酸化炭素は水や油に溶けやすい性質を有することから、液体とともに皮膚に吹き付けられた二酸化炭素は皮膚から内部に浸透し、血管内に取り込まれる。血管内に二酸化炭素が取り込まれると、ヘモグロビンから酸素が遊離し、細胞内に酸素が供給されて代謝活性が発現される。そのため、二酸化炭素が溶け込んだ液体が肌に吹き付けられることで、より高い美容効果を得る事ができる。
【００１６】
本実施例における噴霧装置Ｍは、噴霧器１０を使用するときにはケース本体８０から取り出し（図１参照）、噴霧器１０を使用しないときにはケース本体８０に載置することができる（図２参照）。以下、各構成部材において、図１の上側を上方、下側を下方とし、また気体の噴出方向における前側（図６の左側）を前方、後側を後方として説明する。
【００１７】
噴霧器１０は、化粧水等の液体を収容する液体容器１４を有している。液体容器１４は、上面が開口した有底筒状をなす液体ボトル１５と、液体ボトル１５の上面側に取り付けられたボトルキャップ１６とを備えている。
【００１８】
液体ボトル１５の内周面には、後述するボトルキャップ１６の係止片２３が係止可能な係止リブ１９が設けられている（図１０参照）。係止リブ１９は、厚さ寸法（液体ボトル１５の周方向の寸法）が小さく、上下方向に長い板状をなしている。係止リブ１９の板面は、液体ボトル１５の内周面に対し略垂直をなしている。
【００１９】
ボトルキャップ１６は、図５に示すように、液体ボトル１５の上面開口を塞ぐ蓋板部２１と、蓋板部２１の外周縁から下方に垂下している側板部２２とを備えている。
【００２０】
側板部２２の外周面は、平面視、多角形状（１０角形状）をなしている。ボトルキャップ１６が液体ボトル１５に対して正規の閉塞位置にあるときには、図６に示すように、ボトルキャップ１６の外周面の角（多角形状の頂点）の位置と、液体ボトル１５の外周面の角の位置とが周方向において一致し、液体容器１４全体において整合した多角形状をなす。これにより、ボトルキャップ１６と液体ボトル１５とで角の位置が周方向にずれている場合には、ボトルキャップ１６が正規の閉塞位置からずれていることを知ることができる。
【００２１】
ボトルキャップ１６には、図１０に示すように、液体ボトル１５の係止リブ１９に係止可能な係止片２３が設けられている。係止片２３は、片持ち状をなして上下方向に弾性撓み可能とされている。係止片２３の自由端（先端）には、下向き（内向き）に爪部２４が突設されている。
【００２２】
ボトルキャップ１６を液体ボトル１５の上端部に外嵌して閉塞方向に回転させると、係止片２３の爪部２４が、液体ボトル１５の係止リブ１９に当接した後、係止片２３が上側に弾性撓みして爪部２４が係止リブ１９に乗り上がる。ボトルキャップ１６が液体ボトル１５に対して正規の閉塞位置に至ると、係止片２３が下側に弾性復帰して爪部２４が係止リブ１９に係止する。これにより、ボトルキャップ１６は、開放方向の回転が制限され、液体ボトル１５に対して正規の閉塞位置にロックされる。また、使用者は、係止片２３が係止リブ１９を乗り越える動作により、ボトルキャップ１６が正規の閉塞位置に至ったクリック感を得ることができる。
【００２３】
ボトルキャップ１６は、図５に示すように、外装部２５と、外装部２５の内側に組み込まれるノズルストッパ部２６及びノズル台座部２７を有している。ノズルストッパ部２６及びノズル台座部２７は、ノズル保持部１３の一部を構成する。
【００２４】
外装部２５は、蓋板部２１の表側（上側）の部分を構成する蓋板表面部２８と、側板部２２とを有している。ノズルストッパ部２６は、蓋板部２１の裏側（下側）の部分を構成する蓋板裏面部２９と、蓋板裏面部２９の上面に立設されたストッパ本体部３１とを有している。ノズル台座部２７は、概ねＬ字型をなす部品であり、ノズルストッパ部２６の上側に組み付けられている。
【００２５】
係止片２３は、図９に示すように、ノズルストッパ部２６の蓋板裏面部２９に形成されている。係止片２３は、蓋板裏面部２９の裏面側に設けられ、蓋板裏面部２９のうち係止片２３の表側（上側）には、他の部分よりも一段下がった窪み部２９Ａが形成されている。これにより、蓋板裏面部２９が蓋板表面部２８の裏面に両面テープ９０で取り付けられた状態において、係止片２３の上側の蓋板表面部２８との間に、係止片２３が上方に弾性変位できる変位空間３２が形成される。なお、蓋板表面部２８側にも窪み部２８Ａが形成されている。
【００２６】
ノズル保持部１３は、図９に示すように、ボトルキャップ１６に設けられている。ノズル保持部１３は、ガスノズル１２及び液体ノズル１１を、ガスノズル１２の先端開口３３の中心軸線と、液体ノズル１１の先端開口３４の中心軸線とが直交し、かつ近接する位置関係で保持している。液体ノズル１１の先端開口３４及びガスノズル１２の先端開口３３は、平面視、液体容器１４の投影面内（ボトルキャップ１６の略中心）に配されている。
【００２７】
ガスノズル１２は、気体を噴出するための先端開口３３が設けられたガスノズル先端部３５と、ガスノズル先端部３５の後方に連なって設けられたガスノズル本体部３６とを有している。ガスノズル先端部３５の外周は、先端開口３３に向かって次第に細くなる形状に形成されている。
【００２８】
ガスノズル本体部３６の前端部には、径方向の外側に一段突出した鍔部３７が設けられている。ガスノズル１２には、後述するハンドル部６０の中継管６１が直線状に接続される。なお、ガスノズル１２と中継管６１との接続構造については、後ほど詳しく説明する。
【００２９】
液体ノズル１１は、液体を噴出するための先端開口３４が設けられた液体ノズル先端部４２と、液体ノズル先端部４２の下側に連なって設けられた液体ノズル本体部４３とを有している。液体ノズル先端部４２の外周は、先端開口３４に向かって次第に細くなる形状に形成されている。
【００３０】
液体ノズル本体部４３の中間部には、後述する液体ノズル貫通孔５３に嵌着される嵌着部４４が設けられている。嵌着部４４は、上下の部分に比して一段径方向の外側に突出している。嵌着部４４には、液体ノズル貫通孔５３に密着して液漏れを防ぐＯリング９１が嵌着されている。液体ノズル本体部４３の下端部には、液体容器１４の内部に垂下される吸い上げチューブ４５が接続されている。吸い上げチューブ４５は可撓性を有し、液体容器１４の底まで垂下している。
【００３１】
ノズル保持部１３は、図９に示すように、先端開口３３の中心軸線が水平となる水平姿勢でガスノズル１２を保持するガスノズル保持部４６と、先端開口３４の中心軸線が垂直となる垂直姿勢で液体ノズル１１を保持する液体ノズル保持部５２とを備えている。
【００３２】
ガスノズル保持部４６は、ガスノズル１２の前端部を保持し、ガスノズル１２の後側の部分は、ガスノズル保持部４６から後方に突出して配される。
ガスノズル保持部４６は、ガスノズル１２が水平姿勢で貫通されるガスノズル貫通孔４７を有している。ガスノズル貫通孔４７は、中心軸線が水平に延びる円形状の穴である。ガスノズル貫通孔４７は、ガスノズル先端部３５が貫通するガスノズル貫通部４８と、ガスノズル本体部３６の前端部（鍔部３７）が嵌め込まれるガスノズル嵌合部４９とを有している。
【００３３】
ガスノズル保持部４６に保持された状態のガスノズル１２は、ガスノズル先端部３５がガスノズル貫通孔４７から前方に突出し、ガスノズル本体部３６のうち鍔部３７よりも後側の部分（ガスノズル本体部３６の半分以上）が後方に突出する。
【００３４】
液体ノズル保持部５２は、液体ノズル１１が垂直姿勢で貫通される液体ノズル貫通孔５３を有している。液体ノズル貫通孔５３は、中心軸線が垂直に延びる円形状の穴である。液体ノズル貫通孔５３は、液体ノズル先端部４２が貫通する液体ノズル貫通部５４と、液体ノズル本体部４３の嵌着部４４が嵌着される液体ノズル嵌着部５５とを有している。
【００３５】
液体ノズル保持部５２に保持された状態の液体ノズル１１は、液体ノズル先端部４２が液体ノズル貫通孔５３から上方に突出し、他の部分が液体ノズル嵌着部５５に収まっている。
【００３６】
ガスノズル貫通孔４７のうちガスノズル嵌合部４９は、ノズル台座部２７に形成され、ガスノズル貫通部４８は、外装部２５に形成されている。また、液体ノズル貫通孔５３のうち液体ノズル嵌着部５５は、ノズル台座部２７からノズルストッパ部２６のストッパ本体部３１にわたって形成され、液体ノズル貫通部５４は、外装部２５に形成されている。
【００３７】
ノズル保持部１３は、ガスノズル１２及び液体ノズル１１の先端開口３３，３４の両側に立つ一対の保護壁５７を備えている。一対の保護壁５７は、図７に示すように、ガスノズル１２及び液体ノズル１１の先端部３５，４２を挟んで互いに対向している。保護壁５７は、ボトルキャップ１６の外装部２５の蓋板表面部２８に立設されている。なお、一対の保護壁５７の間には、ノズル台座部２７及びノズルストッパ部２６の前面側を覆うカバー部５８が設けられている。
【００３８】
一対の保護壁５７は、図９に示すように、ガスノズル１２及び液体ノズル１１の先端部３５，４２の両側に立つ前壁部５７Ｆと、ガスノズル本体部３６の両側に立つ後壁部５７Ｒとを備えている。前壁部５７Ｆは、保護壁５７のうち頂部５７Ｔより前側の部分であり、後壁部５７Ｒは、保護壁５７のうち頂部５７Ｔより後側の部分である。前壁部５７Ｆにより、ガスノズル貫通孔４７から前方に突出したガスノズル先端部３５及び液体ノズル貫通孔５３から上方に突出した液体ノズル先端部４２の全体が、側方（気体の噴出方向を前方として左右両側）から視認できなくなっている。また、後壁部５７Ｒにより、ガスノズル貫通孔４７から後方に突出したガスノズル本体部３６の略半分程度が、側方から視認できなくなっている。
【００３９】
保護壁５７の前縁は、頂部５７Ｔから前方へ下がる傾斜をなし、保護壁５７の後縁は、頂部５７Ｔから後方へ下がる傾斜をなしている。保護壁５７の後縁部は、図６に示すように、ハンドル部６０の着脱方向に対して傾斜したノズル側傾斜部５９とされている。ノズル側傾斜部５９については、後ほど詳しく説明する。
【００４０】
ハンドル部６０は、図１１に示すように、ガスノズル１２に接続されて気体通路の一部を構成する中継管６１と、中継管６１とチューブＴとの間に接続されて気体通路の一部を構成する中継部品６２と、中継管６１及び中継部品６２を保持するハウジング６３とを備えている。
【００４１】
ハウジング６３は、全体として、細長い棒状をなしている。ハウジング６３の前縁部には、ハンドル部６０の着脱方向に対してノズル側傾斜部５９と同じ向きに傾斜するハンドル側傾斜部６４が設けられている。ハンドル側傾斜部６４については、後ほど詳しく説明する。
【００４２】
ハウジング６３は、図５に示すように、上下に分割されており、互いに合体可能な上パーツ６５及び下パーツ６６を備えている。上パーツ６５と下パーツ６６とは、ネジ９２で合体状態に固定される。ネジ９２の頭部は、ＰＥＴシート９３で覆われる。
【００４３】
上パーツ６５には、後述するシャフト７８の上端部が上下方向に貫通される上穴部６７が形成されている。上穴部６７から突出したシャフト７８の上端に、操作ボタン６８が取り付けられている。
【００４４】
下パーツ６６には、中継部品６２の下端部を下方に突出させる下穴部６９が設けられている。下穴部６９から突出した中継部品６２の下端部に、チューブＴの一端が接続されている。
【００４５】
中継管６１は、円筒状をなし、ノズル保持部１３に保持されているガスノズル１２に直線状に接続される。中継管６１とガスノズル１２との接続構造については、後ほど詳しく説明する。
【００４６】
中継管６１の後端部は、中継部品６２に螺合されて接続される（図１１参照）。中継部品６２は、上下方向に貫通する管であり、中継管６１は、中継部品６２の中間部に接続されて中継部品６２に連通する。中継管６１の後端部と中継部品６２との間には、これらに密着して気体の漏れ出しを防ぐＯリング１０１が装着されている。
【００４７】
中継部品６２は、シャフト７８が挿通される挿通管部７６と、チューブＴの一端が接続される接続管部７７とを有している。挿通管部７６と接続管部７７とは、互いに螺合されて連結される。挿通管部７６と接続管部７７との間には、これらの間から気体が漏れ出すことを防ぐＯリング９６が備えられている。
【００４８】
挿通管部７６の内部に挿通されたシャフト７８の上端は、ハウジング６３から上方に突出し、操作ボタン６８が取り付けられている。シャフト７８には、挿通管部７６の内周面に密着してシャフト７８と挿通管部７６との間からの気体の漏れを防ぐＯリング９７と、常には挿通管部７６の内周面に密着してシャフト７８と挿通管部７６との間からの気体の漏れを防ぐとともに、操作ボタン６８が操作されたときには、挿通管部７６の内周面から離れて気体通路を開放するＯリング９８とが嵌着されている。Ｏリング９７は、シャフト７８の中間部に設けられ、Ｏリング９８は、シャフト７８の下端部に設けられている。Ｏリング９８は、シャフト７８の下端部において径方向の外側に突出して設けられたフランジ部７８Ｆによって下方への離脱が規制されている。
【００４９】
シャフト７８の下側には、常にはシャフト７８を上方に付勢してＯリング９８を中継部品６２の内周面に密着させるスプリング７９が備えられている。スプリング７９は、フランジ部７８Ｆの下側に配されて接続管部７７の内部に収容されている。スプリング７９の上端部はシャフト７８の下端部に外嵌している。
【００５０】
常には、スプリング７９の付勢によりシャフト７８が上方に付勢されて、Ｏリング９８が中継部品６２の内周面に密着し、気体通路が閉鎖されている。操作ボタン６８を押し下げ操作すると、スプリング７９の付勢力に抗してシャフト７８が下方に変位し、Ｏリング９８が中継部品６２の内周面から離れて、気体通路が開放される。これにより、ボンベＢに充填された気体が、チューブＴ、中継部品６２、中継管６１を介してガスノズル１２に供給され、ガスノズル１２の先端開口３３から噴出される。ガスノズル１２の先端開口３３からの気体の噴出に伴う負圧によって、液体容器１４内の液体が吸い上げられ、液体ノズル１１の先端開口３４から気体の噴流に乗って噴霧される。
【００５１】
ケース本体８０は、図１３に示すように、ボンベＢを出し入れする開口部を有してボンベＢを収容するケース下部８１と、開口部を塞ぐケース上部８２とを有している。噴霧器１０は、ケース上部８２に設けられた載置部８９に載置される。載置部８９は、内周面が液体容器１４と整合した多角形状をなす有底の凹部であり、載置部８９に載置された噴霧器１０を回り止めする構造となっている。
【００５２】
ケース上部８２には、気体の圧力や量を調整するレギュレータ８４が装着されている。レギュレータ８４は、ネジ９９及びナット１００によりケース上部８２に固定されている。レギュレータ８４は、ボンベＢの上端開口部８５Ｈを封止する封止板に刺し通されるニードル部（図示せず）を備えている。レギュレータ８４の側面には、チューブＴが接続されるジョイント部８５が設けられている。ジョイント部８５は、ケース上部８２の開口部８５Ｈを介して外部に露出している。
【００５３】
さて、ハンドル部６０は、ノズル保持部１３に対して、ガスノズル１２と中継管６１とが直線状に接続される方向で着脱自在とされている。ガスノズル１２と中継管６１とは、図１２に示すように、直接的に嵌合することで接続され、接続されたガスノズル１２と中継管６１とは、同一軸線上に連通する。ガスノズル１２と中継管６１とが直線状に接続されるから、中継管６１からガスノズル１２への気体の流れがスムーズなので、中継管６１の接続箇所における気体の漏れ出しを防ぐことができる。
【００５４】
ガスノズル１２及び中継管６１は、ガスノズル１２及び中継管６１の軸線と平行方向に押し込むことにより接続され、平行方向に引き抜くことにより離脱される接続構造を有している。接続構造は、互いに凹凸嵌合してハンドル部６０の着脱方向と交差方向に係止する係止手段を有している。係止手段は、ハンドル部６０を押し込む力によって係止し、引き抜く力によって係止解除される。本実施例では、係止手段の一例として、ガスノズル１２側に連結凹部３８が設けられ、中継管６１側に連結凸部７４が設けられている。
【００５５】
連結凹部３８は、ガスノズル１２のうち中継管６１に接続する部分（以後、中継接続部３９と称する）に設けられている。中継接続部３９は、中継管６１の内側に嵌合するものとされ、連結凹部３８は、中継管６１の外周面に形成されている。連結凹部３８は、前後の部分に比して外径寸法が小さくされた部分であり、周方向に連続した溝状をなしている。連結凹部３８の後側には、ハンドル部６０の着脱時に中継管６１の連結凸部７４が乗り越える乗り越え部４１が設けられている。
【００５６】
一方、連結凸部７４は、中継管６１のうちガスノズル１２に接続する部分（以後、ノズル接続部７１と称する）に設けられている。ノズル接続部７１は、ガスノズル１２の外側に嵌合するものとされている。連結凸部７４は、図１２に示すように、ガスノズル１２の連結凹部３８に嵌合可能なボールであり、ノズル接続部７１の外周面に、周方向の移動を規制されるとともに、板バネ７５により径方向外側への移動を規制された状態で保持されている。連結凸部７４は、ノズル接続部７１の径方向の両側に一対が設けられている。板バネ７５は、中継管６１の軸線方向に長い形状をなし、長手方向の一端側がネジ９５で固定され、他端側が連結凸部７４を抑えている。板バネ７５は、各連結凸部７４に一ずつ設けられている。
【００５７】
ノズル接続部７１は、図１２に示すように、内部に嵌合されたガスノズル１２の中継接続部３９の後面と前後方向に対向する奥面７２を有している。ノズル接続部７１の奥端部には、Ｏリング９４が嵌着されている。Ｏリング９４は、ノズル接続部７１に前方から組み込まれている。Ｏリング９４は、ノズル接続部７１の奥端に位置し、ガスノズル１２の後面に押圧されてノズル接続部７１の奥面７２に密着し、ガスノズル１２と中継管６１との間の気体の漏れを防ぐ。なお、Ｏリング９４の孔は、気体通路になる。
【００５８】
中継管６１には、Ｏリング９４の前方への離脱を防ぐストッパ部品７３が設けられている。ストッパ部品７３は、ノズル接続部７１にＯリング９４を収容した後に中継管６１に組み付けられる。ストッパ部品７３は、Ｏリング９４の前方において内側に突出し、中継管６１の内径を狭めることでＯリング９４の抜け出しを防ぐ。ストッパ部品７３は、一対が、中継管６１の径方向の両側に対向配置されている。
【００５９】
中継管６１の前端部（ノズル接続部７１の一部）は、後述するハンドル側傾斜部６４から前方に突出している（図１１参照）。
ハンドル部６０及びノズル保持部１３は、ハンドル部６０の着脱方向に対して同じ向きに傾斜するハンドル側傾斜部６４及びノズル側傾斜部５９を有している。
【００６０】
ノズル側傾斜部５９は、図５に示すように、保護壁５７の後縁部に形成されている。ノズル側傾斜部５９は、一対の保護壁５７の両方に形成され、いずれも前端（保護壁５７の頂部５７Ｔ）から後方に向かって次第に下がるように傾斜している。ノズル側傾斜部５９は、保護壁５７の他の部分に比して幅広な面を有し、保護壁５７において一段外側（ハンドル部６０の取り付け方向に対して直交方向）に張り出している（図７参照）。
【００６１】
ノズル側傾斜部５９の下端部には、図９に示すように、ハンドル部６０と接触する接触凸部５９Ａが設けられている。接触凸部５９Ａは、上面が略水平な面とされて先端が尖った形状をなしている。接触凸部５９Ａの下側には、ノズル側傾斜部５９の一部であるノズル側受け部５９Ｂが設けられている。接触凸部５９Ａ及びノズル側受け部５９Ｂは、ボトルキャップ１６の蓋板部２１よりも径方向の外側に突出した位置に設けられている。
【００６２】
一方、ハンドル側傾斜部６４は、図１１に示すように、前端から後方に向かって次第に下がるように傾斜している。ハンドル側傾斜部６４は、ハンドル部６０の上下方向の全高にわたって形成されている。ハンドル側傾斜部６４の下端部には、ノズル保持部１３に設けられた接触凸部５９Ａ及びノズル側受け部５９Ｂと接触する接触凹部６４Ａ及びハンドル側受け部６４Ｂが設けられている。接触凹部６４Ａは、接触凸部５９Ａの形状に整合した形状をなしてハンドル側傾斜部６４に凹み形成されており、接触凹部６４Ａの上面は、略水平な面とされている。ハンドル側受け部６４Ｂは、ハンドル側傾斜部６４の一部であり、接触凹部６４Ａの下側に設けられている。ハンドル側傾斜部６４の大部分は上パーツ６５に形成され、接触凹部６４Ａ及びハンドル側受け部６４Ｂは下パーツ６６に形成されている。
【００６３】
ハンドル部６０がノズル保持部１３に取り付けられている状態では、図１２に示すように、ハンドル側傾斜部６４とノズル側傾斜部５９とが着脱方向に近接または当接して配される。これにより、ガスノズル１２と中継管６１との接続部分が、保護壁５７とハウジング６３とによって覆われる。また、接触凸部５９Ａが接触凹部６４Ａに嵌合し、ハンドル側受け部６４Ｂとノズル側受け部５９Ｂとが互いに接触する。これにより、ハンドル部６０の前端下部が、ノズル保持部１３に支持された状態になる。
【００６４】
次に、本実施例における噴霧器１０における液体容器１４の交換作業の一例を説明する。なお、液体容器１４の交換作業は、噴霧器１０を載置部８９から取り出して行う。
まず、液体容器１４からハンドル部６０を取り外す。ハンドル部６０を離脱方向（図１２では右方向）に引っ張ると、板バネ７５を弾性撓みさせて連結凸部７４が乗り越え部４１を乗り越え、連結凹部３８から離脱して係止状態が解除される。そして、ハンドル部６０が取り外される。
【００６５】
次に、ハンドル部６０が取り外された液体容器１４を別の液体容器１４に取り替えて、ハンドル部６０を取り付ける。ハンドル側傾斜部６４が、ノズル側傾斜部５９の傾斜と同じ向きになるようにし、中継管６１のノズル接続部７１をガスノズル１２の中継接続部３９に位置合わせして押し込む。中継管６１のノズル接続部７１が、ガスノズル１２の中継接続部３９に外嵌し、連結凸部７４が板バネ７５を弾性撓みさせて乗り越え部４１を乗り越え、連結凹部３８に嵌合する。板バネ７５は、弾性復帰して連結凸部７４を押さえた状態になる。これにより、ガスノズル１２と中継管６１とが直線状をなして嵌合し、中継管６１とガスノズル１２とが接続状態にロックされる。こうして液体容器１４の交換作業が完了する。
【００６６】
次に、上記のように構成された実施例の作用および効果について説明する。
本実施例の噴霧器１０は、液体とともに気体を噴霧させる噴霧器１０と、気体が充填されたボンベＢを収容するケース本体８０とがチューブＴで接続された噴霧装置Ｍであり、噴霧器１０は、気体を噴出するガスノズル１２と、液体を噴出する液体ノズル１１と、ガスノズル１２と液体ノズル１１とを所定の位置関係で保持するノズル保持部１３と、チューブＴを介してケース本体８０に接続されるとともに気体を噴出させる操作を行うハンドル部６０と、を備え、ハンドル部６０が、ガスノズル１２に接続されて気体の通路の一部を構成する中継管６１を有し、ノズル保持部１３に対して着脱自在とされ、ガスノズル１２及び中継管６１が、ハンドル部６０の取り付けによって接続され、取り外しによって離脱される接続構造を備えている。
【００６７】
この構成によれば、ガスノズル１２及び中継管６１が、ハンドル部６０の取り付けによって接続され、取り外しによって離脱される接続構造を備えているから、接続作業が容易で、かつ高い結合力を実現することができる。また、ガスノズル１２と液体ノズル１１とが所定の位置関係でノズル保持部１３に保持されているから、ガスノズル１２と液体ノズル１１との相対的な位置ずれに起因する噴霧機能の低下を防ぐことができる。加えて、ハンドル部６０を共用しつつ、液体の種類に応じて液体ノズル１１及びガスノズル１２を容易に交換することができるから、使用用途別に液体を選択することができ、かつ、種類の異なる液体が混ざって噴出されることを防ぐことができる。例えば使用者は、一つのハンドル部６０を用いて、顔面皮膚ケアのために顔面皮膚用化粧料を使用し、身体皮膚ケアのために身体用化粧料を使用し、頭皮ケアのために毛髪用化粧料を使用したとしても、これらの液体が少しも混ざることなく、快適に使用することができる。すなわち、本実施例の噴霧器１０によれば、品質の向上を図ることができる。
【００６８】
また、ハンドル部６０及びノズル保持部１３が、ハンドル部６０の着脱方向に対して同じ向きに傾斜するハンドル側傾斜部６４及びノズル側傾斜部５９を有し、ハンドル部６０がノズル保持部１３に取り付けられている状態において、ハンドル側傾斜部６４とノズル側傾斜部５９とが着脱方向に近接または当接して配される。この構成によれば、ハンドル側傾斜部６４とノズル側傾斜部５９とが沿う向きでのみ、ハンドル部６０をノズル保持部１３に取り付けることができるから、ハンドル部６０の取り付け向きを間違えることを防ぐことができる。
【００６９】
また中継管６１が、ガスノズル１２に接続されるノズル接続部７１を有し、ノズル接続部７１の少なくとも一部が、ハンドル部６０のうちノズル保持部１３に対する取り付け方向前側の縁部から突出している。この構成によれば、中継管６１のノズル接続部７１を視認しながらハンドル部６０をノズル保持部１３に取り付けることができるから、ハンドル部６０の取り付け作業を容易に行うことができる。
【００７０】
＜他の実施例＞
本発明は上記記述及び図面によって説明した実施例に限定されるものではなく、例えば次のような実施例も本発明の技術的範囲に含まれる。
（１）上記実施例では、ノズル側傾斜部５９が保護壁５７の後縁部に設けられ、ハンドル側傾斜部６４がハンドル部６０の前縁部に設けられているが、これに限らず、ノズル側傾斜部またはハンドル側傾斜部を、別の部位に設けても良く、例えばノズル保持部またはハンドル部の前後方向中間部に、側方に突出する部位を設け、その突出部位に傾斜部を設ける等しても良い。
（２）上記実施例では、ノズル側傾斜部５９及びハンドル側傾斜部６４が、前端から後方に向かって次第に下がるように傾斜しているが、これに限らず、ノズル側傾斜部及びハンドル側傾斜部の傾斜は、逆向き（前端から後方に向かって次第に上る傾斜）にしてもよい。
（３）上記実施例では、ガスノズル１２と中継管６１との接続構造を具体的に例示したが、これに限らず、ガスノズルと中継管との接続構造は、他の接続構造に変更しても良い。
（４）上記実施例では、ガスノズル１２側に連結凹部３８が設けられ、中継管６１側に連結凸部７４が設けられているが、これに限らず、ガスノズル側に連結凸部、中継管側に連結凹部を設けてもよい。
（５）上記実施例では、連結凸部としてボールを例示したが、これに限らず、連結凸部として他の部材を使用してもよい。
【符号の説明】
【００７１】
Ｂ…ボンベ
Ｍ…噴霧装置
Ｔ…チューブ
１０…噴霧器
１１…液体ノズル
１２…ガスノズル
１３…ノズル保持部
５９…ノズル側傾斜部
６０…ハンドル部
６１…中継管
６４…ハンドル側傾斜部
７１…ノズル接続部
８０…ケース本体
【図１】
2018176020.tif 000003
【図２】
2018176020.tif 000004
【図３】
2018176020.tif 000005
【図４】
2018176020.tif 000006
【図５】
2018176020.tif 000007
【図６】
2018176020.tif 000008
【図７】
2018176020.tif 000009
【図８】
2018176020.tif 000010
【図９】
2018176020.tif 000011
【図１０】
2018176020.tif 000012
【図１１】
2018176020.tif 000013
【図１２】
2018176020.tif 000014
【図１３】
2018176020.tif 000015
【図１４】
2018176020.tif 000016